(57)【要約】【課題】ドア枠の意匠性・施工性を向上させる。【解決手段】ドア枠の左右の縦枠４、５の室外側部位を、室外側に向かって見込方向に突出する突片４４、５４と、突片４４、５４の基端側から見付方向に延びる第１見付部４３、５３と、突片４４、５４の基端側から第１見付部４３、５３と反対側に見付方向に延びる底片４５、５５と、から形成し、突片４４、５４の先端縁は室外側壁体の見付面Ｗと略一致しており、当該先端縁が高さ方向に延びる第２見付部４４０、５４０となり、突片４４、５４と前記室外側壁体の端面７３０とは離間しており、突片４４、５４、当該室外側壁体の端面７３０、底片４５、５５で形成された溝部にシール材Ｓを充填してなる。【選択図】図４
2011168958.tif 000002
【特許請求の範囲】
【請求項１】
ドア枠の左右の縦枠の室外側部位を、室外側に向かって見込方向に突出する突片と、当該突片の基端側から見付方向に延びる第１見付部と、当該突片の基端側から第１見付部と反対側に見付方向に延びる底片と、から形成し、
平面視において、前記突片の先端縁は室外側壁体の見付面と略一致しており、当該先端縁が高さ方向に延びる第２見付部となり、
前記突片と前記室外側壁体の端面とは開口幅方向に離間しており、当該突片、当該室外側壁体の端面、前記底片で形成された溝部にシール材を充填してなるドア枠構造。
【請求項２】
ドア枠の戸尻側部位にはドアの戸尻側部位がヒンジを介して取り付けられており、平面視において、ヒンジの軸部を戸尻側縦枠の前記第２見付部と略同じ位置あるいは当該位置より戸尻側縦枠の前記第１見付部側に位置させてなる請求項１に記載のドア枠構造。
【請求項３】
戸尻側縦枠は、前記第１見付部から室内側へ延びる見込面を備えており、当該見込面にヒンジの板状部が固定され、前記突片によって前記第１見付部の室外側に形成された空間にヒンジの軸部を位置させてなる請求項１、２いずれかに記載のドア枠構造。
【発明の詳細な説明】
【技術分野】
【０００１】
本発明は、ドア枠構造に係り、詳しくは、室外側部位の構成に特徴を備えたドア枠構造に関するものである。
【背景技術】
【０００２】
従来、玄関ドア枠は適当な見付幅を有しており（図７（Ａ）、図８（Ａ）参照）、玄関ドアを室外側から見た時に、ドア枠と外壁との間の境目が目立ってしまうことから意匠上の統一性が図れないという課題があった。
【０００３】
これに対して、特許文献１では、見付幅を細くすることでドア枠の意匠性を向上させている。
【０００４】
ここで、見付幅を細くするドア枠においても、いっそうの意匠性の向上や施工性の向上が要望される。
【先行技術文献】
【特許文献】
【０００５】
【特許文献１】実用新案登録第３１４４２８９号
【発明の開示】
【発明が解決しようとする課題】
【０００６】
本発明は、上記要望に応えることを目的とするものである。
【課題を解決するための手段】
【０００７】
本発明が採用した技術手段は、ドア枠の左右の縦枠の室外側部位を、室外側に向かって見込方向に突出する突片と、当該突片の基端側から見付方向に延びる第１見付部と、当該突片の基端側から第１見付部と反対側に見付方向に延びる底片と、から形成し、
平面視において、前記突片の先端縁は室外側壁体の見付面と略一致しており、当該先端縁が高さ方向に延びる第２見付部となり、
前記突片と前記室外側壁体の端面とは開口幅方向に離間しており、当該突片、当該室外側壁体の端面、前記底片で形成された溝部にシール材を充填してなるドア枠構造、である。
【０００８】
１つの態様では、ドア枠の戸尻側部位にはドアの戸尻側部位がヒンジを介して取り付けられており、平面視において、ヒンジの軸部を戸尻側縦枠の前記第２見付部と略同じ位置あるいは当該位置より戸尻側縦枠の前記第１見付部側に位置させてなる。
【０００９】
１つの態様では、戸尻側縦枠は、前記第１見付部から室内側へ延びる見込面を備えており、当該見込面にヒンジの板状部が固定され、前記突片によって前記第１見付部の室外側に形成された空間にヒンジの軸部を位置させてなる。
【発明の効果】
【００１０】
本発明では、従来のドア枠の見付面に相当する部位を、高さ方向に延びる突片の先端縁から形成することで、見付部の幅を最小限にすることができ、外壁に扉が直接取り付けられているような印象を与え、ドア枠による外壁への影響を最小限に抑えて、デザインの統一性を図ることができる。
ドアの室外側見付面を外壁に対して室内側に引っ込める納まりとなり、ドアの室外側の意匠性をスッキリとさせることができる。
当該突片、当該室外側壁体の端面、前記底片で形成された溝部にシール材を充填することで、シール材が不必要に隙間に入り込むようなことがなく、シール材を充填する際の施工性を向上させることができる。
【００１１】
平面視において、ヒンジの軸部を戸尻側縦枠の前記第２見付部と略同じ位置あるいは当該位置より戸尻側縦枠の前記第１見付部側に位置させることで、ヒンジの軸部が外壁から大きく突出して目立つようなことがなく、意匠性を向上させる。
戸尻側縦枠は、前記第２見付部から室内側へ延びる見込面を備えており、当該見込面にヒンジの板状部が固定され、前記突片によって前記第１見付部の室外側に形成された空間にヒンジの軸部を位置させることで、戸尻側縦枠へのヒンジの取り付けの施工性が良好であると共に、ヒンジの軸部が外壁から大きく突出して目立つようなことがなく、意匠性を向上させる。
【図面の簡単な説明】
【００１２】
【図１】建物開口部を閉鎖した状態の玄関ドアを室外側から見た正面図である。
【図２】図１において躯体の壁を取り除いてドア枠全体を表した図である。
【図３】図２を室内側から見た図である。
【図４】図１の横断面図である。
【図５】図４の横断面図の戸尻側の部分拡大図である。
【図６】図１の縦断面図である。
【図７】（Ａ）は従来のドア枠の横断面図、（Ｂ）は本発明に係るドア枠の横断面図である。
【図８】（Ａ）は従来のドア枠の縦断面図、（Ｂ）は本発明に係るドア枠の縦断面図である。
【図９】図７（Ｂ）と類似の図であり、他の実施形態に係るドア枠を示す。
【図１０】図８（Ｂ）と類似の図であり、他の実施形態に係るドア枠を示す。
【発明を実施するための形態】
【００１３】
図１は、建物開口部を閉鎖した状態の玄関ドアを室外側から見た正面図であり、ドア１は、建物開口部に取り付けられたドア枠に対して回動可能に取り付けられている。図２は、図１において躯体の壁を取り除いてドア枠全体を表した図であり、図３は、図２を室内側から見た図である。本明細書において、「室外側」、「室内側」という表現は、実際の室外側、室内側を意味することに加えて、構成要素の相対的な位置を特定する場合にも用いられることに留意されたい。
【００１４】
ドア１は、正面視縦長方形状であり、室外側見付面１０、室内側見付面１１、上面１２、下面１３、左右の端面すなわち戸先側端面１４、戸尻側端面１５、を備えている。ドア枠は、上枠２、下枠３、左右の縦枠４、５すなわち戸先側縦枠４、戸尻側縦枠５、から四周状に形成されている。ドア１の戸尻側端面１５は、ヒンジ６を介してドア枠の戸尻側縦枠５に回動可能に取り付けられている。ヒンジ６は、ドア１の戸尻側端面１５に固定されたドア側板部６０と、戸尻側縦枠に固定された枠側板部６１と、ドア側板部６０と枠側板部６１を回動自在に連結する軸部６２と、からなる（図５参照）。ヒンジの種類は限定されず、例えば、ピボットヒンジであってもよい。
【００１５】
上枠２は、建物開口部の幅方向に延びる部材であり、図６に示すように、室外側に面する見付面２０と、見付面２０の下端から室内側に向かって水平状に延びる第１下面２１と、第１下面２１の室内側部位に形成された戸当たり部２２と、戸当たり部２２からさらに室内側へ水平状に延びる第２下面２３と、を備える。戸当たり部２２は、第１下面２１の室内側部位と、これに下方から対向する第２下面２３の室外側部位と、の間に形成された凹部であり、戸当たり部２２には開口部閉鎖時にドア１が当接する戸当たり部材２２０が嵌入されている。
【００１６】
上枠２の第２下面２３の開口幅方向の両側には、躯体への取り付け部材が設けてあり、四周状に組み立てられたドア枠の上枠２は、取り付け部材を介して躯体に固定される。図示の態様では、取り付け部材は、第２下面２３から垂直状に立ち上がる垂直部２４（前後上下の寸法が調整できるように長孔を備えた２部材２４０、２４１から形成されている）と、垂直部２４の上端から水平状に延びる水平部２５（部材２４１と一体形成されている）と、から正面視Ｌ形状に形成されており（図２、図３参照）、水平部２５が躯体７１に設けたアンカーボルト７０に固定される。
【００１７】
上枠２は、さらに、見付面２０の上端から室内側に向かって水平状に延びる第１上面２６と、第１上面２６の室内側端部から垂直状に延びる垂直面２７と、垂直面２７の上端から室内側に向かって水平状に延びる第２上面２８と、を備えている。第２上面２８は、躯体７１の下面７１０に当接しており、第１上面２６、垂直面２７、下面７１０の室外側部位とで形成される溝部にシール材Ｓが充填される。一つの態様では、溝部の底にいわゆるバックアップ材Ｂを充填すると共に、シール材Ｓを充填している。
【００１８】
下枠（沓摺）３は、建物開口部の幅方向に延びる部材であり、上側に室外側に面してシール材Ｓ嵌入用の溝部を備えた見付面３０と、見付面３０の上端（溝部）から水平状に延びる第１上面３１と、第１上面３１の室内側部位に形成された戸当たり部３２と、戸当たり部３２からさらに室内側へ水平状に延びる第２上面３３と、を備える。戸当たり部３２は、第１上面３１の室内側部位と、これに上方から対向する第２上面３３の室外側部位と、の間に形成された凹部であり、戸当たり部３２には開口部閉鎖時にドア１が当接する戸当たり部材３２０が嵌入されている。
【００１９】
下枠３の第２上面３３の下方には、下向きに開口する係止溝部３４が（例えば、開口幅方向に亘って）形成されており、四周状に組み立てられたドア枠の下枠３は、係止溝部３４を介して躯体に固定される。より具体的には、躯体の土台には（例えば、開口幅方向に亘って）立ち上がり状の被係止部７２が設けてあり、被係止部７２に上から係止溝部３４を係止させることで下枠３を躯体に固定する。このように、実施形態のドア枠は、上枠２、下枠３のみを介して躯体に固定されており、左右の縦枠４、５は取り付け部材のようなものを用いて躯体に固定されてはいない。尚、左右の縦枠４、５を通常の縦枠のように、躯体に設けた鉄筋やアンカーボルトに対して溶接して固定してもよい。
【００２０】
図４に示すように、戸先側縦枠４の側部は、開口部閉鎖時にドア１の戸先側端面１４と接近対向する第１見込面４０と、第１見込面４０の室内側端部に形成された戸当たり部４１と、戸当たり部４１からさらに室内側に延びる第２見込面４２と、を備えている。戸当たり部４１は、第１見込面４０の室内側部位と、これに開口部側から対向する第２見込面４２の室外側部位と、の間に形成された凹部であり、戸当たり部４１には開口部閉鎖時にドア１が当接する戸当たり部材４１０が嵌入されている。
【００２１】
戸先側縦枠４の室外側部位は、第１見込面４０の室外側端部から見付方向に延びる第１見付部４３と、第１見付部４３から室外側に向かって見込方向に突出する垂直状の突片４４と、突片４４の先端縁からなる細幅の第２見付部４４０と、突片４４の基端側において第１見付部４３とは反対側に見付方向に延びる底片４５と、を備えている。図１に示すように、第２見付部４４０は高さ方向に垂直に延びている。
【００２２】
底片４５の先端から室内側に向かって延びる第３見込面４６が設けてあり、第３見込面には、壁材７３の端面７３０が接近対向している。平面視において、突片４４の先端の第２見付部４４０と壁体の室外側見付面Ｗは略一致している。より具体的には、室外側見付面Ｗを通って開口部側に延長させた仮想面Ｗ´（図５参照）と突片４４の先端とが略一致している。突片４４と、底片４５と、壁材の端面７３０の室外側部位（傾斜面となっている）とで囲まれる溝部にシール材Ｓが充填される。一つの態様では、溝部の底にいわゆるバックアップ材Ｂを充填すると共に、シール材Ｓを充填している。第１見付部４３は、突片４４の突出（見込）寸法分だけ壁体の室外側見付面Ｗから室内側へ引っ込んだ面となっており、開口部閉鎖時には、ドア１の戸先側端面１４から延出する突縁１４０と接近対向するようになっている。
【００２３】
図４、図５に示すように、戸尻側縦枠５の側部は、開口部閉鎖時にドア１の戸尻側端面１５と接近対向する第１見込面５０と、第１見込面５０の室内側端部に形成された戸当たり部５１と、戸当たり部５１からさらに室内側に延びる第２見込面５２と、を備えている。戸当たり部５１は、第１見込面５０の室内側部位と、これに開口部側から対向する第２見込面５２の室外側部位と、の間に形成された凹部であり、戸当たり部５１には開口部閉鎖時にドア１が当接する戸当たり部材５１０が嵌入されている。
【００２４】
戸尻側縦枠５の室外側部位は、第１見込面５０の室外側端部から見付方向に延びる第１見付部５３と、第１見付部５３から室外側に向かって見込方向に突出する垂直状の突片５４と、突片５４の先端縁からなる細幅の第２見付部５４０と、突片５４の基端側において第１見付部５３とは反対側に見付方向に延びる底片５５と、を備えている。図１に示すように、第２見付部５４０は高さ方向に垂直に延びている。
【００２５】
底片５５の先端から室内側に向かって延びる第３見込面５６が設けてあり、第３見込面５６には、壁材７３の端面７３０が接近対向している。平面視において、突片５４の先端の第２見付部５４０と壁体の室外側見付面Ｗは略一致している。より具体的には、室外側見付面Ｗを通って開口部側に延長させた仮想面Ｗ´（図５参照）と突片５４の先端とが略一致している。突片５４と、底片５５と、壁材の端面７３０の室外側部位（傾斜面となっている）とで囲まれる溝部にシール材Ｓが充填される。一つの態様では、溝部の底にいわゆるバックアップ材Ｂを充填すると共に、シール材Ｓを充填している。第１見付部５３は、突片５４の突出（見込）寸法分だけ壁体の室外側見付面Ｗから室内側へ引っ込んだ面となっている。
【００２６】
第１見込面５０の内側には補強用の裏板６３が設けてあり、ヒンジ６の枠側板部６１は、第１見込面５０及び裏板６３を貫設する螺子（図示せず）によって戸尻側縦枠５に固定されている。第１見付部５３によって裏板６３を設ける空間が形成される。第１見付部５３によって突片５４の開口部側に空間が形成され、ヒンジ６の軸部６２を突片５４と干渉することなく室内側へ寄せることができる。平面視において、ヒンジ６の軸部６２の回転中心は突片５４の先端の第２見込部５４０と略同じ位置か、あるいは、第２見込部５４０よりも室内側（第１見込部５３側）に位置している。より具体的には、ヒンジ６の軸部６２の少なくとも一部が、室外側見付面Ｗを通って開口部側に延長させた仮想面Ｗ´（図５参照）よりも室内側に寄っている。
【００２７】
図７は、従来のドア枠と本発明に係るドア枠を比較して示す図であり、（Ａ）は従来のドア枠の横断面図、（Ｂ）は本発明に係るドア枠の横断面図である。従来のドア枠の縦枠の室外側見付面Ｆが幅広であるのに対して、本発明のドア枠の縦枠４、５の室外側見付部（すなわち、突片４４、５４の先端縁により形成される第２見付部４４０、５４０）が細幅であることがわかる。縦枠４、５の室外側見付部の幅を狭くすることで、従来のドア枠に比べて、有効開口幅を大きくすることができる。
【００２８】
また、従来のドア枠において、ドア１の室外側見付面１０が、壁体の室外側見付面Ｗ、ドア枠の室外側見付面Ｆと略同じ面であるのに対して、本発明のドア枠では、ドア１の室外側見付面１０が、壁体の室外側見付面Ｗ、ドア枠の室外側見付部（第２見付部４４０、５４０）、に対して室内側に引っ込んでいる。
【００２９】
また、従来のドア枠において、ヒンジ６の軸部６２が、壁体の室外側見付面Ｗ、ドア枠の室外側見付面Ｆに対して室外側に突出しているのに対して、本発明のドア枠では、突片４４、５４によって形成された空間を利用して、ヒンジ６の軸部６２を、室外側壁面Ｗ、ドア枠の室外側見付部（第２見付部４４０、５４０）に対して室内側に変位させることができる。
【００３０】
図１乃至図６に示す例では、左右の縦枠４、５のみに細幅の室外側見付部を形成したが、上枠２にも細幅の室外側見付部を形成してもよい。図８は、従来のドア枠と本発明に係るドア枠を比較して示す図であり、（Ａ）は従来のドア枠の縦断面図、（Ｂ）は本発明に係るドア枠の縦断面図である。従来のドア枠の上枠の室外側見付面Ｆが幅広であるのに対して、本発明のドア枠の上枠の室外側見付部（突片２９の先端縁により形成される見付部２９０）が細幅であることがわかる。上枠２の室外側見付部の幅を狭くすることで、従来のドア枠に比べて、有効開口高を大きくすることができる。また、突片２９の基端側には立ち上がり状の底片２９１が形成されており、突片２９と、底片２９１と、躯体側の枠部材の下面７１０の室外側部位（傾斜面となっている）とで囲まれる溝部にシール材Ｓが充填される。
【００３１】
また、従来のドア枠において、ドア１の室外側見付面１０が、壁体の室外側見付面Ｗ、ドア枠の室外側見付面Ｆと略同じ面であるのに対して、本発明のドア枠では、ドア１の室外側見付面１０が、壁体の室外側見付面Ｗ、ドア枠の室外側見付部２９０に対して室内側に引っ込んでいる。
【００３２】
図１乃至図８に示す態様では、ドア枠は、スチール製の板材を折曲形成することで得られる。
具体的には、室外側部位について言うと、板材を山折り状に折り曲げて密着させることで突片４４、５４を形成し、先端の折り曲げ部が第２見付部４４０、５４０となる。突片４４、５４の基端側において、密着された板材の一方を突片４４、５４に対して直角状に折り曲げて第１見付部４３、５３が形成され、密着された板材の他方を突片４４、５４に対して第１見付部４３、５３と反対側に直角状に折り曲げて底片４５、５５が形成される。
【００３３】
本発明において、ドア枠は板材を折曲形成して得られるものに限定されず、図９、図１０に示すように、アルミ型材からドア枠を形成してもよい。図９、図１０において、図１乃至図８に示す実施形態と同様の要素については、同じ番号に「´」を付けてあり、これらの要素の説明には、図１乃至８に関連する記載を援用することができる。
【符号の説明】
【００３４】
１  ドア
１０  室外側見付面
４  戸先側縦枠
４０  第１見込面
４３  第１見付部
４４  突片
４４０  第２見付部
４５  底片
５  戸尻側縦枠
５０  第１見込面
５３  第１見付部
５４  突片
５４０  第２見付部
５５  底片
６  ヒンジ
６２  軸部
【図１】
2011168958.tif 000003
【図２】
2011168958.tif 000004
【図３】
2011168958.tif 000005
【図４】
2011168958.tif 000006
【図５】
2011168958.tif 000007
【図６】
2011168958.tif 000008
【図７】
2011168958.tif 000009
【図８】
2011168958.tif 000010
【図９】
2011168958.tif 000011
【図１０】
2011168958.tif 000012